(57)【要約】【課題】  商品の価格や産地など、購買者の意思決定に必要な商品情報が多くなっている。情報の提示方法が従来のままでは、1つ1つの情報量が多くなるために十分な情報を得ることが難しい。【解決手段】  販売店入店時に購買者が携帯型情報表示装置を携帯し、電子商品タグや電子棚札に近づけることで、携帯型情報表示装置と電子商品タグや電子棚札の間で、情報提供装置から個別に得られた情報の通信を行い、商品の価格や産地などの商品情報を携帯型情報表示装置で大きく・順に見やすく表示させることで、購買者が十分な情報を得ることが出来るようにする。  また、店舗の大規模化や商品の多様化に対し、商品棚への誘導機能を有することで購買者への時間  的サービスを提供できる。  この携帯型情報表示装置は情報表示パネルを、小さく・薄く・軽くすることで、購買者が容易に携帯・操作できるものとする。【選択図】図１
2010094349.tif 000002
【特許請求の範囲】
【請求項１】
電子商品タグ・電子棚札による情報提供装置からの情報を送受信する通信手段と、情報提供装置から得て保持された商品情報群と前期の通信情報から関連付けられ個々の商品情報を表示する表示手段を有し、表示部がパネル型表示装置からなり、携帯式であることを特徴とする位置誘導機能を具備した携帯型情報表示装置と電子棚札システム。
【請求項２】
店舗内に設置された位置ＩＤ発信機からの位置情報を、前記携帯型情報表示装置の位置ＩＤ受信機が受け取ることで現在位置を特定し、購買者の現在位置と店舗内の位置案内を表示部に表示する事を特徴とする請求項１記載の位置誘導機能を具備した携帯型情報表示装置と電子棚札システム。
【請求項３】
前記携帯型情報表示装置の表示部に、情報提供装置からリアルタイムに送られる広告情報を表示できることを特徴とする請求項１から２いずれか１項に記載の携帯型情報表示装置と電子棚札システム。
【請求項４】
前記携帯型情報表示装置にバーコード読み取り機能を付加したことを特徴とする請求項１から３いずれか１項に記載の携帯型情報表示装置と電子棚札システム。
【発明の詳細な説明】
【技術分野】
【０００１】
本発明は、位置誘導機能を具備した携帯型情報表示装置と電子棚札システムに関するものである。
店舗等において商品陳列棚の位置に設置する電子棚札により商品購入を検討する購買者が、産地・生産者名などの購入の意思決定に必要な情報を電波送信し、それを受信する携帯型情報表示装置と目的商品棚への位置誘導機能を可能にするシステムに関するものである。
【背景技術】
【０００２】
スーパーマーケット、コンビニエンスストアなどの店舗の商品陳列棚には、その棚に陳列されている商品の価格などを表示する棚札が添付されている。しかし情報化社会における商品の価値判断と購入意思決定に必要な情報は多様化してきている。その多様な情報を購買者に提示することを目的とする。
【０００３】
視野角の良好さや暗所での視認性の良好さを提供するための手段として、特開２００７‐１６７５５１号公報（特許文献１）で有機エレクトロルミネッセンス素子からなる表示パネルを用いる方法が、記載されている。
【０００４】
しかしながら、特許文献１に記載の電子棚札システムでは、表示の見え易さについてのみ配慮されているが、購入の検討する購買者が必要とする情報を提供する点においては充分ではない。
【特許文献１】特開２００７‐１６７５５１号公報
【発明の開示】
【発明が解決しようとする課題】
【０００５】
本発明は、購買者側が必要とする情報を自ら選択することができ、分かりやすく又見やすく表示する事ができ、簡易操作が可能な携帯型情報表示装置と電子棚札システムを提供することを目的とする。
更に、店舗の大規模化や商品の多様化に対し、位置ＩＤ発信機との通信により、現在位置や購入を希望する商品の陳列棚への誘導機能を有することで購買者への店舗内案内サービスを提供することを目的とする。
【課題を解決するための手段】
【０００６】
前述した目的を達成するために本発明は、商品情報（価格・産地・原材料・流通経路・店舗内販売箇所・調理方法・販売促進情報など）を保持する電子棚札・電子商品タグと通信手段を有し商品情報を保持する携帯情報表示装置と店舗内に設置する位置ＩＤ発信機から構成されるシステムである。
【０００７】
情報提供装置の情報の入力方法は、主に販売店で入力される情報（価格・店舗内販売箇所・販売促進情報）と、社内ネットワークを活用した情報（産地・原材料・流通経路・調理方法）の双方をその特性に応じて使い分ける。たとえば、産地や流通経路などは第三者機関がその情報を提示することで、購買者のより高い信頼感が得られる。
【０００８】
携帯型情報表示装置は、その表示部に有機エレクトロルミネッセンス素子または液晶などの表示パネルを用いることで、薄型化及び軽量化を可能とする。
【０００９】
携帯型情報表示装置は、その操作部にタッチパネルを用いて複数の商品情報の中から購買者の望む情報を、購買者が操作することで表示部に表示できる機能を有する。操作部は大きく見やすいものを用いて、簡易操作が可能な配置とする。
【００１０】
携帯型情報表示装置と電子棚札システムを構成する情報提供装置・携帯型情報表示装置・電子棚札・電子商品タグの相互間の通信方法は無線モジュールを用いる。
【００１１】
携帯型情報表示装置は、情報提供装置から発信されるお買い得情報など広告情報をリアルタイムに表示する。また商品の店舗内位置情報を、店舗見取り図を表示して陳列された商品の位置関係を示して案内することや、店舗に設置した位置ＩＤ発信機からの位置情報を携帯型情報表示装置に付けられた位置ＩＤ受信機で受信する事で、店舗内の現在位置を表示し店舗見取り図などに表示することで、より分かりやすい商品の位置案内システムを実現できる。
【発明の効果】
【００１２】
本発明によれば、携帯型情報表示装置に購買者が求める商品の価格・産地・流通経路などの必要とする情報を表示させることで、購買者が十分な情報を得られる携帯型情報表示装置と電子棚札システムを提供することが出来る。
【発明を実施するための最良の形態】
【００１３】
図１は、本発明の構成を示すシステム図である。携帯型表示装置と電子棚札システムは位置誘導機能を具備した携帯型表示装置と位置ＩＤ発信機と電子棚札・電子商品タグで構成される。
【００１４】
携帯型情報表示装置と位置ＩＤ発信機と電子棚札・電子商品タグは無線通信モジュールによって接続され情報（価格・産地・原材料・流通経路・店舗内販売箇所・調理方法・販売促進情報など）と携帯型情報表示装置の店舗内位置情報を保持し、相互に無線通信を行うことで情報を表示し、購入者へ情報を提供する。
【００１５】
携帯型情報表示装置は、その表示装置に有機エレクトロルミネッセンス素子または液晶などからなる表示パネルを用いる。携帯型情報表示装置を電子棚札・電子商品タグに近づけることで電子棚札・電子商品タグからの商品の識別データなどを携帯型情報表示装置が受信して、情報を表示させる。
また、電子化されていない棚札や商品タグについても携帯型情報表示装置にバーコード情報を読み取る機能を持たせることで、商品の情報を表示させることができる。
【００１６】
携帯型情報表示装置は、購買者が買い物時に携帯して使用する。また買い物かごやカートに一時的に取り付けることが出来る構造とする。
【００１７】
携帯型情報表示装置は、店舗内の位置ＩＤ発信機からの位置ＩＤ情報を携帯型情報表示装置の位置ＩＤ受信機が受け、情報提供装置と相互に通信することによりその位置情報を把握する。携帯型情報表示装置の店舗内の現在の位置を、表示部の店舗見取り図と一緒に表示することで、より分かりやすい店舗内の位置案内を行う事ができる。
【００１８】
携帯型情報表示装置は、操作部にタッチパネルなどを用いて複数の情報の中から購買者の望む情報を購買者の操作により表示部に表示させることが出来る。タッチパネルの方式は抵抗膜方式を用いる。また表面弾性波方式や静電容量方式などを用いることも可能である。
【００１９】
無線通信モジュールの送信方式は直接拡散方式とする。店舗の広さなどを考慮してメッシュネットワーク方式またはスターネットワーク方式を採用する。
【００２０】
今日多くの商品があふれる中で、購買者が選択を行う場合の商品情報の重要性はますます大きくなって来ている。品質が良いだけにとどまらず、この発明によって購買者がその商品を選んだことに満足をおぼえるようなサービスの提供をおこない、生活の質（クオリティオブライフ）の向上になるような自己選択性の高いサービスを、携帯型情報表示装置と電子棚札システムによって実現する。
【図面の簡単な説明】
【００２１】
【図１】本発明の構成を示すシステム図
【図２】携帯情報表示装置の一例を示す参考図
【符号の説明】
【００２２】
１  携帯形情報表示装置
２  位置ＩＤ発信機
３  電子商品タグ又は電子棚札
４  商品陳列棚
【図１】
2010094349.tif 000003
【図２】
2010094349.tif 000004